(57)【要約】【課題】好適な手持ち式機器を提供することを目的とする。【解決手段】本発明は、本体部とアタッチメントとを備え、前記本体部は、外筒と、前記外筒内で流体入口部から流体出口部まで延びる流体流路と、前記流体流路内に配置されたＰＣＢと、を有しており、前記ＰＣＢは、ハウジング内に収容されている、という手持ち式の機器を提供する。【選択図】図２
2018033965.tif 000002
【特許請求の範囲】
【請求項１】
本体部とアタッチメントとを備え、
前記本体部は、外筒と、前記外筒内で流体入口部から流体出口部まで延びる流体流路と、前記流体流路内に配置されたＰＣＢと、を有しており、
前記ＰＣＢは、ハウジング内に収容されている
ことを特徴とする手持ち式機器。
【請求項２】
前記本体部は、更に内壁を有しており、前記内壁は、前記ＰＣＢのための前記ハウジングを提供している
ことを特徴とする請求項１に記載の手持ち式機器。
【請求項３】
前記流体流路は、前記ハウジングの回りに延びている
ことを特徴とする請求項１または２に記載の手持ち式機器。
【請求項４】
前記ハウジングは、略長方形状であって、前記外筒の内径に亘って延びている
ことを特徴とする請求項３に記載の手持ち式機器。
【請求項５】
前記流体流路は、前記ハウジングの両側の回りに延びている
ことを特徴とする請求項３または４に記載の手持ち式機器。
【請求項６】
前記ハウジングは、ヒートシンクを含んでいる
ことを特徴とする請求項１乃至５のいずれかに記載の手持ち式機器。
【請求項７】
前記ヒートシンクは、一側で前記流体流路と接触しており、他側で前記ＰＣＢ上の構成要素と接触している
ことを特徴とする請求項６に記載の手持ち式機器。
【請求項８】
前記ヒートシンクは、金属シートを含んでいる
ことを特徴とする請求項６または７に記載の手持ち式機器。
【請求項９】
前記金属シートは、前記ハウジングに対してシールされている
ことを特徴とする請求項６乃至８のいずれかに記載の手持ち式機器。
【請求項１０】
前記ハウジングの上流端は、前記本体部の電気コネクタに接続している
ことを特徴とする請求項１乃至９のいずれかに記載の手持ち式機器。
【請求項１１】
前記ハウジングの下流端は、前記ＰＣＢの一端の回りで湾曲している
ことを特徴とする請求項１乃至１０のいずれかに記載の手持ち式機器。
【請求項１２】
前記流体流路は、前記ハウジングによって、第１及び第２流体流路に分離されている
ことを特徴とする請求項１乃至１１のいずれかに記載の手持ち式機器。
【請求項１３】
前記ハウジングの前記下流端において、前記第１及び第２流体流路は統合されている
ことを特徴とする請求項１０に記載の手持ち式機器。
【請求項１４】
前記ハウジングは、２部品によって形成されている
ことを特徴とする請求項１乃至１３のいずれかに記載の手持ち式機器。
【請求項１５】
前記ハウジングは、内壁の一部を形成し、前記内壁が、２部品によって形成されている
ことを特徴とする請求項１４に記載の手持ち式機器。
【請求項１６】
前記内壁は、付加的に、ファンユニットを収容している
ことを特徴とする請求項１５に記載の手持ち式機器。
【請求項１７】
前記ＰＣＢの周りで、前記内壁は、略長方形状であって、
前記ファンユニットの周りで、前記内壁は、略円形状である
ことを特徴とする請求項１６に記載の手持ち式機器。
【請求項１８】
前記ハウジングは、内壁の一部を形成しており、
前記流体流路は、前記ハウジングの回りで前記内壁と前記外筒との間で延びている
ことを特徴とする請求項１乃至１７のいずれかに記載の手持ち式機器。
【請求項１９】
本体部とアタッチメントとを備え、
前記本体部は、外筒と、前記外筒内で流体入口部から流体出口部まで延びる流体流路と、前記外筒内を延びる内壁と、を有しており、
前記内壁の一部が、ＰＣＢのためのハウジングを形成しており、
前記ハウジングの箇所で、前記流体流路は、前記外筒と前記内壁との間で延びている
ことを特徴とする手持ち式機器。
【請求項２０】
前記内壁の一部が、ファンユニットのための第２ハウジングを形成しており、
前記第２ハウジングの箇所で、前記流体流路は、前記内壁内を延びている
ことを特徴とする請求項１８または１９に記載の手持ち式機器。
【請求項２１】
前記内壁の一部が、ヒータのための第３ハウジングを形成しており、
前記第３ハウジングの箇所で、前記流体流路は、前記内壁内を延びている
ことを特徴とする請求項１８乃至２０のいずれかに記載の手持ち式機器。
【請求項２２】
当該機器は、ヘアケア機器である
ことを特徴とする請求項１乃至２１のいずれかに記載の手持ち式機器。
【請求項２３】
前記ヘアケア機器は、ホットスタイリング機器である
ことを特徴とする請求項２２に記載の手持ち式機器。
【発明の詳細な説明】
【技術分野】
【０００１】
本発明は、手持ち式機器に関しており、特には、ホットスタイリング装置のようなヘアケア機器に関している。
【背景技術】
【０００２】
従来のホットスタイリング機器においては、空気が、ファン装置によって入口部に引き込まれ、出口部によってヘアに向かって指向される。しばしば、１つの機器に、様々なアタッチメントが設けられる。各アタッチメントは、異なる出口部を有しており、その結果、異なる機能を有している。例えば、ドライング（髪を乾燥する）、カーリング（髪を巻き毛にする）、ボリューマイジング（髪にボリューム感を与える）、等の機能である。所望されるスタイルに依存して、空気は、加熱されたり、加熱されなかったりする。アタッチメントは、ヘアが巻き付けられてスタイリングのために保持されるブリスル（ブラシ毛）を有し得る。
【発明の概要】
【発明が解決しようとする課題】
【０００３】
本発明は、好適な手持ち式機器を提供することを目的とする。
【課題を解決するための手段】
【０００４】
本発明は、本体部とアタッチメントとを備え、前記本体部は、外筒と、前記外筒内で流体入口部から流体出口部まで延びる流体流路と、前記流体流路内に配置されたＰＣＢと、を有しており、前記ＰＣＢは、ハウジング内に収容されている、という手持ち式の機器を提供する。
【０００５】
好適には、前記本体部は、更に内壁を有しており、前記内壁は、前記ＰＣＢのための前記ハウジングを提供している。
【０００６】
好適な実施形態では、前記流体流路は、前記ハウジングの回りに延びている。
【０００７】
好適には、前記ハウジングは、略長方形状であって、前記外筒の内径に亘って延びている。
【０００８】
好適な実施形態では、前記流体流路は、前記ハウジングの両側の回りに延びている
【０００９】
好適には、前記ハウジングは、ヒートシンクを含んでいる。
【００１０】
好適な実施形態では、前記ヒートシンクは、一側で前記流体流路と接触しており、他側で前記ＰＣＢ上の構成要素と接触している。
【００１１】
好適には、前記ヒートシンクは、金属シートを含んでいる。
【００１２】
好適な実施形態では、前記金属シートは、前記ハウジングに対してシールされている。
【００１３】
好適には、前記ハウジングの上流端は、前記本体部の電気コネクタに接続している。
【００１４】
好適な実施形態では、前記ハウジングの下流端は、前記ＰＣＢの一端の回りで湾曲している。
【００１５】
好適には、前記流体流路は、前記ハウジングによって、第１及び第２流体流路に分離されている。
【００１６】
好適な実施形態では、前記ハウジングの前記下流端において、前記第１及び第２流体流路は統合されている。
【００１７】
好適には、前記ハウジングは、２部品によって形成されている。
【００１８】
好適な実施形態では、前記ハウジングは、内壁の一部を形成し、前記内壁が、２部品によって形成されている。
【００１９】
好適には、前記内壁は、付加的に、ファンユニットを収容している。
【００２０】
好適な実施形態では、前記ＰＣＢの周りで、前記内壁は、略長方形状であって、
前記ファンユニットの周りで、前記内壁は、略円形状である。
【００２１】
好適には、前記ハウジングは、内壁の一部を形成しており、前記流体流路は、前記ハウジングの回りで前記内壁と前記外筒との間で延びている。
【００２２】
第２の特徴によれば、本発明は、本体部とアタッチメントとを備え、前記本体部は、外筒と、前記外筒内で流体入口部から流体出口部まで延びる流体流路と、前記外筒内を延びる内壁と、を有しており、前記内壁の一部が、ＰＣＢのためのハウジングを形成しており、前記ハウジングの箇所で、前記流体流路は、前記外筒と前記内壁との間で延びている
内に収容されている、という手持ち式の機器である。
【００２３】
好適な実施形態では、前記内壁の一部が、ファンユニットのための第２ハウジングを形成しており、前記第２ハウジングの箇所で、前記流体流路は、前記内壁内を延びている
内に収容されている。
【００２４】
好適には、前記内壁の一部が、ヒータのための第３ハウジングを形成しており、前記第３ハウジングの箇所で、前記流体流路は、前記内壁内を延びている。
【００２５】
好適には、当該機器は、ヘアケア機器である。
【００２６】
好適な実施形態では、当該ヘアケア機器は、ホットスタイリング機器である。
【００２７】
本発明は、添付の図面を参照して、例示的に説明される。
【図面の簡単な説明】
【００２８】
【図１】図１は、本発明によるアタッチメント機構が用いられ得る機器を示している。
【図２】図２は、本発明による内壁の縦断面図を示している。
【図３】図３は、本発明によるハウジングの斜視図を示している。
【図４】図４は、本発明によるハウジングの別の斜視図を示している。
【図５】図５は、本発明による機器の縦断面図を示している。
【発明を実施するための形態】
【００２９】
図１を参照して、手持ち式の機器１０の一例が図示されている。機器は、ハンドル２１０と、ヘアスタイリングのためのアタッチメント２０と、を備えている。ユーザが様々なスタイルを生成することを可能にするべく、また、機器に複数の機能性を与えるべく、アタッチメント２０は取り外し可能であり、別のアタッチメントと交換され得る。また、アタッチメント２０は、非使用時においても、機器のより容易な保管を許容するべく、取り外され得る。
【００３０】
ハンドル２１０は、幾つかの異なる加熱設定及び流量設定の間でユーザが選択することを可能にする、幾つかの様々なユーザ作動ボタン３８、１３８を含んでいる。ハンドル２１０は、外筒２００から形成されており、ＰＣＢ（印刷回路基板）９０と、ファンとモータとを有するファンユニット７０と、ヒータ８０と、内壁２２０と、を有している（いずれも概略的に図示されている）。使用時、ファンユニット７０は、流体入口部２１２を介して流体を引き入れ、流体はＰＣＢ９０を通過して、ファンユニット７０及びヒータ８０を通され、アタッチメント２０の流体出口部２２から放出される。ヒータ８０は、選択的に流体を加熱する。流体入口部２１２は、流体流路の上流端である。
【００３１】
内壁２２０は、ハンドル２１０内の構成要素が載置され得る構造を提供する。これは、製造を容易にし、製造上の「ばらつき」を低減する。特に、内壁２２０は、都合の良いことに、ＰＣＢ９０のためのハウジング２２２を提供する。これは、ハウジングが内壁と別個の部品であり得るので必須ではいが、部品の数を減らすので都合がよい。
【００３２】
ＰＣＢ９０は、その上に電子要素が搭載された印刷回路基板である。機器の使用中、これらの要素の幾つかは加熱し得て、冷却が必要であり得る。流体流路と直接接触するようにＰＣＢを置くことも可能であるが、これは、機器を通る流体の流れの乱れを増大させまって、ノイズを増大させてしまう。そこで、ハウジング２２２には、ヒートシンク２２４が設けられている。ヒートシンク２２４は、熱伝導性の任意の材料からなり得て、本実施形態では金属シートである。ゴム製のガスケットまたはシールが、ヒートシンク２２４とハウジング２２２との間に延びている。
【００３３】
ハウジング２２２は、略長方形状（直方体状）であり、本実施形態では、ハウジングの幅Ｗが外筒２００の内径に対応しており、ハウジング２２２は、ハンドル２１０の長手方向軸Ｙ−Ｙに沿って配置されている。流体入口部２１２において流体流路５０に入る流体は、ハウジング２２２内でＰＣＢ９０の両側を通過し得る。流体流路５０は、当該流体流路５０内の当該位置において、内壁２２０と外壁２００との間を延びる。
【００３４】
外筒２００は、一方向においてハウジング２２２によって支持されており、これに対する９０°の支持を与えるべく、一対の支持フィン２２６がハウジング２２２から外筒２１に延びるように設けられている。
【００３５】
都合が良いことに、ハウジング２２２及び内壁２２０は、２部品から形成されており、ＰＣＢ９０は、ハウジングの他側部２２２ｂが取り付けられる前にハウジングの一側部２２２ａ内に載置され得る。
【００３６】
ＰＣＢ９０の上流端９０ａにおいて、ハウジングは、電子コネクタ１００（概略的に図示されている）に接続している。電子コネクタ１００は、電源コード１０２を介して、主電源まで機器内の配線を接続している。都合が良いことに、電子コネクタは、ハウジング２２２の上流端２２に接続されたコネクタハウジング１０４内の内壁２２０内に収容されている。
【００３７】
ＰＣＢ９０の下流端９０ｂにおいて、ハウジングの２部品２２２ａ、２２２ｂは、接続部２２８で出会うまで、互いに向かって中心に向けて湾曲している。理想的には、ハウジング２２２の全長に沿って、流体流路５０に与えられた表面は滑らかで、できるたけ流れを阻害しないように角度の変遷がない。
【００３８】
流体流路５０内の次の構成要素は、ファンユニット７０であり、ヒータ８０がそれに続く。これらの構成要素が効果的に作用するために、流体流路５０がそれらを通過しなければならない。そのため、ハウジングの下流では、内壁２２０がハウジング２２２の径方向に対向する両側３０、３２から延びて、円形壁２４となっていて、ファンユニット７０及びヒータ８０を収容している。この箇所では、流体流路５０は、内壁２２０内を延びており、ＰＣＢ９０のハウジング２２２の回りに形成された２つの略半円とは異なり、１つの円形流になる。内壁２２０は、ファンユニットハウジング７２及びヒータハウジング８２を含むと考えることもできる。
【００３９】
本発明は、ホットスタイリング装置に関して詳細に説明されたが、流体を引き込んで当該機器からの当該流体の出力流を指向させる任意の機器に適用可能である。
【００４０】
当該機器は、ヒータと共に用いられ得るし、ヒータ無しでも用いられ得る。高速での流体出力流の作用は、乾燥作用である。
【００４１】
当該機器を通って流れる流体は、一般的には空気であるが、任意の単一の気体や気体の様々な組み合わせであり得るし、当該機器の性能や、当該機器が対象物（例えば、ヘア）上に有する衝撃や、当該ヘアのスタイリングを改善するための添加剤を含み得る。
【００４２】
本発明は、前述の詳細な説明に限定されない。修正が、当業者に明らかである。
【図１】
2018033965.tif 000003
【図２】
2018033965.tif 000004
【図３】
2018033965.tif 000005
【図４】
2018033965.tif 000006
【図５】
2018033965.tif 000007